(57)【要約】【課題】サーマルプリンタにおいて、サーマルヘッドの蓄熱等に起因する印画品質の低下を簡便な方法で回避することを目的とする。【解決手段】印刷データに基づいて画像を出力するサーマルプリンタであって、前記出力された画像を測色して得られた測色データに基づいて、該画像の印刷方向の濃度変化を算出する近似式計算部（５１０）と、前記印刷データと前記算出された濃度変化との差分に基づいて、該印刷データを補正する印刷データ補正部（５０５）と、印刷データ補正部（５０５）により補正された補正後の印刷データを出力する印刷部５０６とを備える。【選択図】  図５
2004306390.tif 000002
【特許請求の範囲】
【請求項１】
印刷データに基づいて画像を出力するサーマルプリンタであって、
前記出力された画像を測色して得られた測色データに基づいて、該画像の印刷方向の濃度変化を算出する算出手段と、
前記印刷データと前記算出された濃度変化との差分に基づいて、該印刷データを補正する補正手段と、
前記補正手段により補正された補正後の印刷データを出力する出力手段と
を備えることを特徴とするサーマルプリンタ。
【請求項２】
前記補正手段は、
前記印刷データと前記算出された濃度変化との差分と、該印刷データとの和を前記補正後の印刷データとすることを特徴とする請求項１に記載のサーマルプリンタ。
【請求項３】
前記算出手段は、ＹＭＣデータに変換された測色データに基づいて前記濃度変化を算出することを特徴とする請求項１に記載のサーマルプリンタ。
【請求項４】
入力される画像データを変換して得られた印刷データに基づいて画像を出力するサーマルプリンタであって、
前記画像データを処理するためのマトリックスデータを入力する入力手段と、
前記入力されたマトリックスデータに基づいて前記画像データを処理し、仮想データを生成する生成手段と、
前記生成された仮想データを表示する表示手段と、
前記表示された仮想データの色みと前記出力された画像の色みとが略等価である場合の該仮想データと、前記入力された画像データとの差分に基づいて、該画像データを補正する補正手段と、
前記補正手段により補正された補正後の画像データを変換して得られた印刷データに基づいて画像を出力する出力手段と
を備えることを特徴とするサーマルプリンタ。
【請求項５】
前記補正手段は、
前記画像データと前記仮想データとの差分と、該画像データとの和を前記補正後の画像データとすることを特徴とする請求項４に記載のサーマルプリンタ。
【請求項６】
前記画像データおよび前記仮想データは、ＲＧＢデータであることを特徴とする請求項４に記載のサーマルプリンタ。
【請求項７】
印刷データに基づいて画像を出力するための印刷処理方法であって、
前記出力された画像を測色して得られた測色データに基づいて、該画像の印刷方向の濃度変化を算出する算出工程と、
前記印刷データと前記算出された濃度変化との差分に基づいて、該印刷データを補正する補正工程と、
前記補正工程により補正された補正後の印刷データを出力する出力工程と
を備えることを特徴とする印刷処理方法。
【請求項８】
入力される画像データを変換して得られた印刷データに基づいて画像を出力するための印刷処理方法であって、
前記画像データを処理するためのマトリックスデータを入力する入力工程と、
前記入力されたマトリックスデータに基づいて前記画像データを処理し、仮想データを生成する生成工程と、
前記生成された仮想データを表示する表示工程と、
前記表示された仮想データの色みと前記出力された画像の色みとが略等価である場合の該仮想データと、前記入力された画像データとの差分に基づいて、該画像データを補正する補正工程と、
前記補正工程により補正された補正後の画像データを変換して得られた印刷データに基づいて画像を出力する出力工程と
を備えることを特徴とする印刷処理方法。
【発明の詳細な説明】
【０００１】
【発明の属する技術分野】
本発明は、サーマルプリンタにおいて、サーマルヘッドの蓄熱等に起因する印画品質の低下を回避するための補正技術に関するものである。
【０００２】
【従来の技術】
従来より、サーマルプリンタにおいて、サーマルヘッドの中期蓄熱等による尾引きが問題となっている。サーマルヘッドの中期蓄熱による尾引きとは、印刷方向に濃度が急峻に変化する画像データを印刷する場合に、サーマルヘッドの中期蓄熱の影響で、変化前の濃度から変化後の濃度に収束するまでに時間がかかるために、変化前の濃度が印刷方向に残ってしまう現象をいう。そして、このような尾引きが生じることで出力画像が全体としてぼけてしまうこととなる。
【０００３】
これに対して、従来よりサーマルヘッドの中期蓄熱による尾引きを補正するための技術が提案されている。例えば、特開平０７−０６８８２３号公報には、サーマルヘッド裏面温度や環境温度からサーマルヘッドの通電時間やパルス数を制御することで、サーマルヘッドの中期蓄熱を補正する技術が開示されている。
【０００４】
【特許文献１】
特開平０７−０６８８２３号公報
【０００５】
【発明が解決しようとする課題】
しかしながら、上記従来技術に示した補正方法は、熱伝導のシミュレーションに基づいて補正をする必要があり、計算が複雑であるという問題があった。また、シミュレーションでは予測できなかった熱量が生じる場合もあり、十分な補正ができず、結果として尾引きを十分排除できないといった問題もあった。
【０００６】
本発明は、上記課題に鑑みてなされたものであり、サーマルプリンタにおいて、サーマルヘッドの蓄熱等に起因する印画品質の低下を簡便な方法により回避することを目的とする。
【０００７】
【課題を解決するための手段】
上述した課題を解決し、目的を達成するために、本発明にかかるサーマルプリンタは、以下の構成を備える。即ち、
印刷データに基づいて画像を出力するサーマルプリンタであって、
前記出力された画像を測色して得られた測色データに基づいて、該画像の印刷方向の濃度変化を算出する算出手段と、
前記印刷データと前記算出された濃度変化との差分に基づいて、該印刷データを補正する補正手段と、
前記補正手段により補正された補正後の印刷データを出力する出力手段とを備える。
【０００８】
また、上述した課題を解決し、目的を達成するために、本発明にかかる他のサーマルプリンタは、以下の構成を備える。即ち、
入力される画像データを変換して得られた印刷データに基づいて画像を出力するサーマルプリンタであって、
前記画像データを処理するためのマトリックスデータを入力する入力手段と、
前記入力されたマトリックスデータに基づいて前記画像データを処理し、仮想データを生成する生成手段と、
前記生成された仮想データを表示する表示手段と、
前記表示された仮想データの色みと前記出力された画像の色みとが略等価である場合の該仮想データと、前記入力された画像データとの差分に基づいて、該画像データを補正する補正手段と、
前記補正手段により補正された補正後の画像データを変換して得られた印刷データに基づいて画像を出力する出力手段とを備える。
【０００９】
【発明の実施の形態】
はじめに本実施形態の概要について説明する。従来はサーマルプリンタの内部状態と出力との関係を熱伝導シミュレーション等により求めておき、サーマルプリンタの内部状態を観測することで、内部状態の変化に対する出力を予測し、尾引き補正を行っていた。
【００１０】
これに対して、本実施形態における尾引き補正は、出力するデータと出力画像（出力結果）との関係から、サーマルヘッドの蓄熱等に起因する尾引きを予め定量化し、当該定量化した尾引きを逆算して、データの補正を行うことを特徴とするものである。つまり、内部状態をブラックボックスとし、入力と出力との関係のみから補正を行うもので、第１の尾引き補正の場合は出力画像を測色することで尾引きを定量化し、第２の尾引き補正の場合はマトリックスデータをチューニングし、出力画像と等価な色みの仮想データを生成することで尾引きを定量化する。そして、かかる方法によりサーマルヘッドの蓄熱等に起因する尾引きを簡便な方法により回避することが可能となる。
【００１１】
以下に、本発明の好適な一実施形態につき、添付の図面を参照して説明する。
【００１２】
尚、以下に説明する実施の形態は、本発明の実現手段としての一例であり、本発明は、その趣旨を逸脱しない範囲で下記実施形態を修正又は変形したものに適用可能である。
【００１３】
［サーマルプリンタ］
図１（ａ）は、本発明の一実施形態にかかるサーマルプリンタの概略構成を示し、（ｂ）は本サーマルプリンタにより形成されるドット列と記録紙搬送方向（印刷方向）との関係を示しており、記録媒体（記録紙）Ｐは、回転駆動されるグリップローラ２と、このグリップローラ２に当接する回転自在のピンチローラ３とにより挟持されつつ、グリップローラ２の回転によりライン方向Ｓ１に搬送される。
【００１４】
また、上記記録紙Ｐをグリップローラ２及びピンチローラ３により搬送方向Ｓ１に搬送させつつ、その搬送方向上流側において記録紙Ｐと記録ヘッド（サーマルヘッド）５の間にインクリボンＲを介在させて、プラテンローラ６と記録ヘッド５とでインクリボンＲと記録紙Ｐとを押圧してインクリボンＲのインクを記録紙Ｐに熱転写することでライン方向Ｓ１に対して略直交するドット列方向Ｓ２に所定ドットピッチＬｐでドット列Ｄが形成される。
【００１５】
インクリボンＲは、供給リールＲ１から記録紙Ｐの記録面に供給され、巻取リールＲ２により巻き取られる。
【００１６】
図２は、本発明の一実施形態にかかるサーマルプリンタに搭載されるサーマルヘッドの断面構成を示す図であり、サーマルヘッド５の発熱素子７は、セラミック（アルミナ）基板１１上に、発熱体１４に通電することにより発生する熱エネルギを基板１１側に逃さないための断熱性の高いガラスのグレーズ層１２が形成され、このグレーズ層１２上に電極１３及び発熱体（抵抗体）１４が形成されている。また、この電極１３及び発熱体１４上には表面を保護するための保護膜１５が形成されている。
【００１７】
サーマルヘッド５は、上記のように構成された発熱素子７が１次元的に複数（例えば、７６０〜３０００素子）配列され、これら発熱素子７の配列方向（ドット列方向Ｓ２）に対してライン方向Ｓ１に相対的に記録紙Ｐを搬送しながら、各発熱素子７への通電と搬送とを同期させることによりカラーやモノクロの２次元画像を印刷することができる。
【００１８】
グレーズ層１２は断熱のために熱伝導率が低く、その内部でも熱が拡散して均一化し難い特性を持つ。
【００１９】
図３は、サーマルヘッドの発熱と各構成要素の熱伝導性との関係を説明する図であり、発熱体が発熱すると、その熱はセラミック基板１１より熱伝導率の低いグレーズ層１２を通り、その後セラミック基板１１に伝導して拡散する。ここで、セラミック基板１１はグレーズ層１２より熱伝導率が高く、発熱体１４から離れているために中長期的な蓄熱状態を発生させ、グレーズ層１２は熱伝導率が低く、発熱体に近いために短期的な蓄熱状態を発生させる。
【００２０】
上記短期的とは蓄熱の影響が短時間であり、図４（ａ）に示すように、印刷データの通電時における濃度の立ち上がりの遅れが短時間であることを意味している。また、上記中長期的とは蓄熱の影響が中又は長時間であり、図４（ｂ）に示すように、印刷データの通電時における濃度の立ち上がりの遅れが中又は長時間であることを意味している。
【００２１】
そして、短期蓄熱はフルカラープリンタにおいて画像のシャープ（輪郭強調）性を低下させる。また、中期蓄熱は濃度の高い印刷後に発生する尾引きなどに影響する。更に、長期蓄熱は同一の画像を複数印刷した場合に最初と最後の濃度が相違するという問題を持っている。
【００２２】
そして、本発明の実施形態にかかるサーマルプリンタによれば、かかる中期蓄熱に伴う尾引きの影響を軽減させることが可能であり、そのために２種類の尾引き補正を行うことができる。以下にその詳細を述べる。
【００２３】
［第１の尾引き補正］
図５は本発明の実施形態にかかるサーマルプリンタの尾引き補正のための機能ブロック図である。
【００２４】
同図において、５０１は画像データ入力部であり、外部のコンピュータなどからＲ（レッド）、Ｇ（グリーン）、Ｂ（ブルー）の各色ごとの画像データＤｒ、Ｄｇ、Ｄｂを入力する。５０２は画像データ保持部であり、画像データ入力部５０１により入力された画像データ（Ｄｒ、Ｄｇ、Ｄｂ）を保持する。
【００２５】
５０３は色変換部であり、画像データ（Ｄｒ、Ｄｇ、Ｄｂ）をＣ（シアン）、Ｍ（マゼンダ）、Ｙ（イエロー）の各色ごとの印刷データＤｃ、Ｄｍ、Ｄｙに変換する。印刷データＤｃ、Ｄｍ、Ｄｙは、印刷部５０６に送信され、画像として出力される。なお、このように色変換部５０３から印刷部５０６を介して直接印刷された出力画像は、中期蓄熱の影響により尾引きの影響が生じる。
【００２６】
５０７は測色部であり、印刷部５０６により出力され、尾引の影響が生じた出力画像を測色する。５０８は測色データ保持部であり、測色部５０７により測色された測色データ（Ｓｒ、Ｓｇ、Ｓｂ）を保持する。
【００２７】
５０９は色変換部であり、測色データ（Ｓｒ、Ｓｇ、Ｓｂ）をＣ（シアン）、Ｍ（マゼンタ）、Ｙ（イエロー）の各色ごとのデータＳｃ、Ｓｍ、Ｓｙに変換する。５１０は近似式計算部であり、色変換部５０９において変換されたデータＳｃ、Ｓｍ、Ｓｙの印刷方向における各濃度変化を示す近似式を算出する（なお、近似式の算出方法は特に限定しない）。
【００２８】
５０４は差分算出部であり、色変換部５０３において変換された印刷データの印刷方向の各位置における各色（Ｄｃ、Ｄｍ、Ｄｙ）の濃度と、近似式計算部５１０で算出された近似式により求められる印刷方向の各位置における各色の濃度との差分を算出する。
【００２９】
５０５は印刷データ補正部であり、色変換部５０３で求められた印刷データ（Ｄｃ、Ｄｍ、Ｄｙ）を差分算出部５０４で求めた差分により補正する。補正後の印刷データは印刷部５０６に送信され、出力される。この場合、中期蓄熱による尾引きの影響分だけ補正されているため、出力された画像は尾引きの影響が出ないこととなる。
【００３０】
図６は、図５に示した各ブロックの出力を示した図である。図６（ａ）は、色変換部５０３から出力された印刷データを示す図である。横軸は印刷方向の各位置を示し、縦軸は印刷データＤｃの濃度を示す。なお、本実施形態では説明の簡略化のため、印刷データのうちＤｃについてのみ説明することとするがＤｍ、ＤｙについてもＤｃと同様であることは言うまでもない。
【００３１】
図６（ｂ）は、色変換部５０３より出力された印刷データＤｃを直接印刷部５０６に送信し、印刷部５０６において出力した出力画像を、測色部５０７で測色し、色変換部５０９により色変換した後のデータＳｃの近似式を示す図である。図６（ｂ）において、点線は図６（ａ）の印刷データＤｃを示す。図６（ｂ）より明らかなように、色変換部５０３により色変換された印刷データを直接印刷部５０６に送信することで出力された画像は、中期蓄熱の影響により、印刷データＤｃに対する追従性が悪く、尾引きが発生している。
【００３２】
図６（ｃ）は、差分算出部５０４において求められた差分値（印刷データＤｃとデータＳｃの近似式との差分値）を図示したものである。図６（ｄ）は、差分算出部５０４で算出された差分値と、色変換部５０３より出力された印刷データＤｃとに基づいて算出された補正後の印刷データＤｃ’を示す図である。同図より明らかなように、図６（ｂ）において示された中期蓄熱の影響による尾引き分を、印刷データＤｃから差し引いたもの（つまり、Ｄｃ’＝Ｄｃ＋（Ｄｃ−Ｓｃ））を印刷データＤｃ’として出力することになるため、中期蓄熱の影響による尾引きの発生を除去することが可能となる。
【００３３】
［第２の尾引き補正］
図７は本発明の実施形態にかかるサーマルプリンタの尾引き補正のための機能ブロック図である。
【００３４】
同図において、７０１は画像データ入力部であり、外部のコンピュータなどからＲ（レッド）、Ｇ（グリーン）、Ｂ（ブルー）の各色ごとの画像データＤｒ、Ｄｇ、Ｄｂを入力する。７０２は画像データ保持部であり、画像データ入力部７０１により入力された画像データ（Ｄｒ、Ｄｇ、Ｄｂ）を保持する。
【００３５】
７０３は色変換部であり、画像データ（Ｄｒ、Ｄｇ、Ｄｂ）をＣ（シアン）、Ｍ（マゼンダ）、Ｙ（イエロー）の各色ごとの印刷データＤｃ、Ｄｍ、Ｄｙに変換する。印刷データＤｃ、Ｄｍ、Ｄｙは、印刷部７０４に送信され、画像として出力される。このようにして出力された画像は、中期蓄熱の影響により尾引きが生じる。
【００３６】
７０５はマトリックス入力部であり、入力された画像データに対して、マトリックス入力部７０５より入力された各色ごとのマトリックスデータ（Ｍｒ、Ｍｇ、Ｍｂ）を掛け合わせることで、仮想の尾引き画像を生成することができる。７０６は入力されたマトリックスデータを保持するマトリックス保持部である。７０７は仮想尾引き画像データ生成部であり、マトリックス保持部７０６に保持されたマトリックスデータと、画像データ保持部７０２に保持された画像データとを各色ごとに掛け合わせ、仮想尾引き画像データを生成する。ここで、仮想尾引き画像とは、中期蓄熱により尾引きが生じた出力画像の色みと等価な表示画像の色みを構成するデータをいう。７０８は画像表示部であり、仮想尾引き画像データ生成部７０７において生成された仮想尾引き画像を表示する。画像表示部７０８に表示された表示画像と、印刷部７０４により出力された出力画像とを対比することで、表示画像の色みが出力画像の色みと等価となるように、入力するマトリックスデータをチューニングする。
【００３７】
マトリックスデータをチューニングすることで、表示画像の色みと出力画像の色みとが等価となった場合（つまり、表示画像上において、出力画像と同じ尾引きが生成された場合）、当該データ（仮想尾引き画像データ）を仮想尾引き画像データ生成部７０７から補正データ作成部７０９に送信する。補正データ作成部では、当該仮想尾引き画像データと画像データとに基づいて補正データを作成する。具体的には、仮想尾引き画像データ生成部７０７より送信された各色の仮想尾引き画像データを（Ｂｒ、Ｂｇ、Ｂｂ）、画像データ保持部７０２より送信された画像データを（Ｄｒ、Ｄｇ、Ｄｂ）としたとき、補正データ作成部７０９では補正後のデータとして、Ｄｒ’＝Ｄｒ＋（Ｄｒ−Ｂｒ）、Ｄｇ’＝Ｄｇ＋（Ｄｇ−Ｂｇ）、Ｄｂ’＝Ｄｂ＋（Ｄｂ−Ｂｂ）をそれぞれ算出する。
【００３８】
色変換部７０３では、補正データ作成部７０９において算出された補正データＤｒ’、Ｄｇ’、Ｄｂ’を色変換し、印刷部７０４にて出力する。この場合、中期蓄熱による尾引きの影響分だけ補正されているため、出力された画像は尾引きの影響が出ないこととなる。
【００３９】
図８、９は、図７に示した機能ブロック図を用いて印刷処理を行った場合の処理の概念を示す図である。
【００４０】
図８において、８０１は画像データ入力部７０１により入力され、画像データ保持部７０２に保持された画像データの一例である。また、８０２は画像データ保持部７０２に保持された画像データ８０１を色変換部７０３を介して印刷部７０４により直接印刷された出力画像を示す。上述した補正処理を行わずに印刷出力した場合、８０２に示すように印刷方向に尾引きが生じる。
【００４１】
８０３は、入力された画像データの所定の位置における所定の色（８０３の場合はレッド（Ｒ））のデータである。また、８０４はマトリックス入力部７０５により入力されたレッド（Ｒ）のマトリックスデータの一例を示す。さらに、８０５は仮想尾引き画像データ生成部７０７において生成された仮想尾引き画像データである。仮想尾引き画像データ生成部７０７では、画像データ８０３とマトリックスデータ８０４とを用いて、例えば、仮想尾引き画像データ８０５のＢｒ（２、２）を下式により求めることができる。
【００４２】
Ｂｒ（２、２）＝Ｄｒ（１、１）×Ｍｒ（１、１）＋Ｄｒ（１、２）×Ｍｒ（１、２）＋・・・（省略）・・・＋Ｄｒ（３、２）×Ｍｒ（３、２）＋Ｄｒ（３、３）×Ｍｒ（３、３）
また、仮想尾引き画像データ８０５の他の位置のデータについても同様に求めることができる。さらにレッド（Ｒ）以外の他の色についても同様に求めることができる。このようにして得られた仮想尾引き画像データ８０５を画像表示部７０８により表示した表示画像を８０６に示す。
【００４３】
画像表示部７０８に表示された表示画像８０６と出力画像８０２とを比較し、両者の色みが等価となるようにマトリックスデータ８０４をチューニングする。チューニングにより得られた仮想尾引き画像データ８０５は、補正データ作成部７０９において利用される。
【００４４】
図９は、画像データ入力部７０１により入力され、画像データ保持部７０２に保持された画像データ８０１を補正データ作成部７０９を介して色変換部７０３で色変換し、印刷部７０４にて印刷出力した様子を示す図である。
【００４５】
図９において、８０３は入力された画像データの所定の位置における所定の色のデータである。また、８０５はチューニングにより得られた仮想尾引き画像データである。補正データ作成部７０９では、画像データ８０３と仮想尾引き画像データ８０５とを用いて補正後のデータ９０１を生成する。上述したように補正後のデータ９０１は、Ｄｒ’＝Ｄｒ＋（Ｄｒ−Ｂｒ）により生成することができる。
【００４６】
９０２は生成された補正後のデータ９０１を、色変換部７０３を介して印刷部７０４により印刷された出力画像である。出力画像９０２は、中期蓄熱による尾引きの影響を排除するように画像データを補正しているため、尾引きが生じることがなくなる。
【００４７】
以上の説明から明らかなように、本実施形態によれば、中期蓄熱による尾引きの影響を排除した出力画像を得ることが可能となる。
【００４８】
なお、図８、９の例では、入力されるマトリックスデータを３×３画素としたがこれに限られず、３画素以上のマトリックスデータを入力してもよく、また正方行列に限られない。さらに、仮想尾引き画像データ生成部７０７において仮想尾引き画像データを生成するにあたり、画像データの注目画素の周囲８画素に対するマトリックスデータの積和演算を行うこととしたがこれに限られず、演算方法は画像処理の分野において一般的に使用されているものであれば何でもよく、特にこれに限定されるものではない。
【００４９】
【他の実施形態】
なお、本発明の目的は、前述した実施形態の機能を実現するソフトウェアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、達成されることは言うまでもない。
【００５０】
この場合、記憶媒体から読出されたプログラムコード自体が前述した実施形態の機能を実現することになり、そのプログラムコードを記憶した記憶媒体は本発明を構成することになる。
【００５１】
プログラムコードを供給するための記憶媒体としては、例えば、フロッピ（登録商標）ディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【００５２】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部または全部を行い、その処理によって前述した実施形態の機能が実現される場合も含まれることは言うまでもない。
【００５３】
さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【００５４】
【発明の効果】
以上説明したように、本発明によれば、サーマルプリンタにおいて、サーマルヘッドの蓄熱等に起因する印画品質の低下を簡便な方法により回避することが可能となる。
【図面の簡単な説明】
【図１】本発明の一実施形態にかかる本実施形態のサーマルプリンタの概略構成を示す図である。
【図２】本発明の一実施形態にかかるサーマルプリンタに搭載されるサーマルヘッドの断面構成を示す図である。
【図３】サーマルヘッドの発熱と各構成要素の熱伝導性との関係を説明する図である。
【図４】本発明の一実施形態にかかるサーマルプリンタを用いて印刷処理を行った場合の各ブロックの出力を示す図である。
【図５】本発明の実施形態にかかるサーマルプリンタの尾引き補正のための機能ブロック図である。
【図６】図５に示した各ブロックの出力を示した図である。
【図７】本発明の実施形態にかかるサーマルプリンタの尾引き補正のための機能ブロック図である。
【図８】本発明の実施形態にかかるサーマルプリンタを用いて印刷処理を行った場合の処理の概念を示す図である。
【図９】本発明の実施形態にかかるサーマルプリンタを用いて印刷処理を行った場合の処理の概念を示す図である。
【符号の説明】
Ｐ：記録媒体
Ｒ：インクリボン
Ｒ１：供給リール
Ｒ２：巻取リール
２：グリップローラ
３：ピンチローラ
５：サーマルヘッド
６：プラテンローラ
【図１】
2004306390.tif 000003
【図２】
2004306390.tif 000004
【図３】
2004306390.tif 000005
【図４】
2004306390.tif 000006
【図５】
2004306390.tif 000007
【図６】
2004306390.tif 000008
【図７】
2004306390.tif 000009
【図８】
2004306390.tif 000010
【図９】
2004306390.tif 000011